(57)【特許請求の範囲】
【請求項１】
１台の室外機に複数台の室内機を並列に接続し、各室内機が室内熱交換器と前記室内熱交換器に設けられた配管温度を検出する室内配管温度検出手段と、前記室内熱交換器で熱交換された空気を風回路を通して室内へ送風する送風機と、冷房または除湿運転されて停止した時に冷房運転を記憶する冷房運転記憶手段を有し、他室が暖房モードで運転された場合に室内の運転モードが暖房以外で冷房運転を記憶している各室内機において、前記室内配管温度が所定温度以上の場合には送風機を回転させ、所定温度以下では送風機の回転を停止させるとともに、前記送風機が回転している時間をカウントする送風機運転時間カウント手段を有し前記送風機を積算で所定時間運転させることを特徴とする多室形空気調和機の制御方法。
【請求項２】
送風機が回転している時に、風回路吹出し部に設けられた上下風向羽根を閉じるかわずかに開として運転することを特徴とする請求項１記載の多室形空気調和機の制御方法。
【請求項３】
冷房運転されて停止した時に、冷房運転を記憶する冷房運転記憶手段を有するとともに、冷房運転停止からの時間をカウントする冷房停止後時間カウント手段を有し、前記冷房停止後時間が所定時間を超えた場合には、前記冷房運転記憶を解除することを特徴とする請求項１記載の多室形空気調和機の制御方法。
【請求項４】
冷房運転開始から停止までの時間をカウントする冷房運転時間カウント手段を有し、前記冷房運転時間がある所定時間に満たない場合には前記冷房運転記憶を行わないことを特徴とする請求項１記載の多室形空気調和機の制御方法。
【発明の詳細な説明】
【技術分野】
【０００１】
本発明は、１台の室外機に複数台の室内機を接続し、冷房と暖房運転が混在せずに冷房運転と暖房運転を行う多室形空気調和機に係り、特に室内機の結露防止に関するものである。
【背景技術】
【０００２】
図６は従来の多室形空気調和機の制御方法を示すフローチャート図、図７は従来の多室形空気調和機の冷媒回路図、図８は従来の多室形空気調和機の室内断面側面図である。図７において、１は圧縮機、２は冷媒の流れる方向を変化させ冷房／暖房運転の切り換えを行なう四方弁、３は室外熱交換器、４ａ，４ｂはそれぞれの室内熱交換器への冷媒の流量を調整する電子膨張弁、５ａ，５ｂは室内熱交換器、６ａ，６ｂは室内機の熱交換器の温度を検知する配管温センサー、７および８は冷媒を分配・合流する分配部である。冷房運転時、圧縮機１から吐出された冷媒は図７の実線矢印の方向に流れ、室外熱交換器３にて凝縮、分配部７にて分配、電子膨張弁４ａ，４ｂにて減圧され、室内熱交換器５ａ，５ｂにおいて蒸発し、分配部８で合流し圧縮機１にもどり、再び吐出される。室内熱交換器５ａ，５ｂにて冷媒が蒸発する際、吸収する熱で被空調室の空気調和をしている。一方、暖房運転時の冷媒の流れは図７の点線矢印の方向で冷房時の逆となり、室内熱交換器５ａ，５ｂにて凝縮する際に放出する熱で被空調室の空調調和をしている。吐出冷媒量は、圧縮機１の運転と停止により調節するタイプと、それだけでなく圧縮機１の回転数を可変させ調節するタイプの２種類ある。電子膨張弁４ａ，４ｂは複数の室内機の各熱交換器５ａ，５ｂに対応し冷媒回路中に設けられ、その弁の開度により、減圧量や各室内熱交換器５ａ，５ｂへの冷媒流量を調整している。配管温センサー６ａ，６ｂは各室内熱交換器５ａ，５ｂに設けられ、室内熱交換器５ａ，５ｂの温度を検知し、冷房時は凍結防止用として、暖房時はその温度の上昇により冷媒回路の高圧防止として保護に用いられている。また室内機の各々には、電源の入／切、冷房／暖房運転切替え、室内送風機の回転数切替えにより風速を調整するスイッチがある。室内機ＡまたはＢのみの運転だけでなく、２台の室内機の運転内容が同様の場合、接続された複数台の室内機同時運転が可能である。室内機ＡまたはＢのみの運転の場合、暖房運転時は停止中室内への冷媒液溜りを防止するため停止中の室内機の電子膨張弁をわずかに開き熱交換器に冷媒を流している。
【０００３】
従来、１台の室外機に複数台の室内機を接続した多室形空気調和機において、室内機Ａで冷房運転停止後、室内機Ｂで暖房運転した場合、停止中の室内機Ａに流れる高温の冷媒は熱交換器５ａを加熱し、冷房運転中に熱交換器５ａに付着した結露水を蒸発させる。その蒸発した結露水は空気調和機の室内筺体内壁にて再結露し滴下するが、停止中の室内機からの結露水滴下防止の対策として、室内機Ａで冷房運転停止後、室内機Ｂで暖房運転した場合、図６のステップＳ２０〜Ｓ３２に示すように、熱交換器５ａに設けられている管温サーミスター６ａを用い、冷房運転終了後所定時間内に他の室内機が暖房運転を開始し、停止中の室内機の配管温センサー６ａの温度が所定値以上になった場合、熱交換器５ａの結露水が蒸発中と判定し停止中の室内機の送風機１２を所定時間運転し停止するため、その結露の表面に強制的に風を当て蒸発させるため、室内機から滴下を防止できるというものが提案されている。また、室内機Ａの熱交換器に取り付けられた配管
温センサーの温度が所定値以上に上昇した場合、停止中の室内機Ａの送風機１２の運転と同時に運転中の他の室内機の電子膨張弁４ｂを開き、停止中の室内機Ａの電子膨張弁４ａを閉じるというものも提案されている（例えば、特許文献１参照）。
【特許文献１】特開平９−２６４５９７号公報
【発明の開示】
【発明が解決しようとする課題】
【０００４】
しかしながら、上記従来の構成では、暖房運転中の他室が設定温度に達しサーモOFFして圧縮機が停止した場合や設定温度に近づき圧縮機の回転数が下がった場合に熱交換器温度が下がり、熱交換器に滞留した凝縮水や冷房運転で冷却された風回路内が所定時間内では乾ききらず風回路内表面への結露発生や凝縮水の再蒸発により結露水が滴下するという課題を有していた。また、停止中の室内機の送風機運転時間を長くしたり、風量を大きくすると暖房運転中の部屋の暖房能力低下や停止部屋の室温上昇といった快適性の課題や停止部屋で騒音違和感を生ずるといった課題があった。さらに停止中の室内機の膨張弁を閉じると停止中の室内機に液冷媒が溜り、液冷媒に溶け込んでオイルが吐出するため圧縮機中のオイルが不足し圧縮機の信頼性を損ねるといった課題があった。
【０００５】
本発明はこのような従来の課題を解決するものであり、運転部屋、停止部屋の快適性を損なうことなく停止中の室内機からの結露水を防止する多室形空気調和機の制御方法を提供することを目的とする。
【課題を解決するための手段】
【０００６】
上記課題を解決するために本発明の多室形空気調和機の制御方法は、１台の室外機に複数台の室内機を並列に接続し、各室内機が室内熱交換器と前記室内熱交換器に設けられた配管温度を検出する室内配管温度検出手段と、前記室内熱交換器で熱交換された空気を風回路を通して室内へ送風する送風機と、冷房または除湿運転されて停止した時に冷房運転を記憶する冷房運転記憶手段を有し、他室が暖房モードで運転された場合に室内の運転モードが暖房以外で冷房運転を記憶している各室内機において、前記室内配管温度が所定温度以上の場合には送風機を回転させ、所定温度以下では送風機の回転を停止させるとともに、前記送風機が回転している時間をカウントする送風機運転時間カウント手段を有し前記送風機を積算で所定時間運転させることを特徴とするものである。
【０００７】
また、本発明の多室形空気調和機の制御方法は、前記送風機が回転している時に、風回路吹出し部に設けられた上下風向羽根を閉じるかわずかに開として運転することを特徴とする。
【０００８】
また、本発明の多室形空気調和機の制御方法は、前記冷房運転されて停止した時に、冷房運転を記憶する冷房運転記憶手段を有するとともに、冷房運転停止からの時間をカウントする冷房停止後時間カウント手段を有し、前記冷房停止後時間が所定時間を超えた場合には、前記冷房運転記憶を解除することを特徴とする。
【０００９】
また、本発明の多室形空気調和機の制御方法は、冷房運転開始から停止までの時間をカウントする冷房運転時間カウント手段を有し、前記冷房運転時間がある所定時間に満たない場合には前記冷房運転記憶を行わないことを特徴とする。
【発明の効果】
【００１０】
上記から明らかなように、本発明の多室形空気調和機の制御方法は、１台の室外機に複数台の室内機を並列に接続し、各室内機が室内熱交換器と前記室内熱交換器に設けられた配管温度を検出する室内配管温度検出手段と、前記室内熱交換器で熱交換された空気を風回路を通して室内へ送風する送風機と、冷房または除湿運転されて停止した時に冷房運転を記憶する冷房運転記憶手段を有し、他室が暖房モードで運転された場合に室内の運転モードが暖房以外で冷房運転を記憶している各室内機において、前記室内配管温度が所定温度以上の場合には送風機を回転させ、所定温度以下では送風機の回転を停止させるとともに、前記送風機が回転している時間をカウントする送風機運転時間カウント手段を有し前記送風機を積算で所定時間運転させるもので、この構成によれば、暖房運転中の他室が設定温度に達しサーモOFFして圧縮機が停止した場合や設定温度に近づき圧縮機の回転数が下がった場合に熱交換器温度が下がっている間は前記送風機を停止し積算させないため、熱交換器温度が所定以上で所定時間以上確実に送風機の運転を行うことができ、熱交換器に滞留した凝縮水や冷房運転で冷却された風回路内が所定時間内では乾ききらず風回路内表面への結露発生や凝縮水の再蒸発により結露水が滴下することや停止中の室内機Ａの送風機運転時間を長くしたり、風量を大きくして暖房運転中の部屋の暖房能力低下や停止部屋の室温上昇といった快適性の課題や停止部屋で騒音違和感を生じることを防ぐことができるという効果を奏する。
【００１１】
また、本発明の多室形空気調和機の制御方法は、前記送風機が回転している時に、風回路吹出し部に設けられた上下風向羽根を閉じるかわずかに開として運転するもので、この構成によれば、室内機の吹出しと吸込みをショートサーキットさせ停止部屋への放熱を抑えることで停止部屋の室温上昇を防ぐとともに運転部屋の暖房能力ダウンを防ぐことができ快適性を損なわずに、熱交換器に滞留した凝縮水や冷房運転で冷却された風回路内を確実に乾かすことができるという効果を奏する。
【００１２】
また、本発明の多室形空気調和機の制御方法は、前記冷房運転されて停止した時に、冷房運転を記憶する冷房運転記憶手段を有するとともに、冷房運転停止からの時間をカウントする冷房停止後時間カウント手段を有し、前記冷房停止後時間が所定時間を超えた場合には、前記冷房運転記憶を解除するというもので、この構成によれば、暖房のシーズン始めや長期運転停止した場合の熱交換器に滞留した凝縮水がなく冷房運転で冷却された風回路内が十分乾いている場合に本制御を不必要に動作させることを防止でき運転部屋、停止部屋の快適性を損なうことがなくなるという効果を奏する。
【００１３】
また、本発明の多室形空気調和機の制御方法は、冷房運転開始から停止までの時間をカウントする冷房運転時間カウント手段を有し、前記冷房運転時間がある所定時間に満たない場合には前記冷房運転記憶を行わないというもので、この構成によれば、リモコンでの運転モード切り替え時等で短時間冷房運転された場合の熱交換器に滞留した凝縮水がなく風回路内が十分乾いている場合に本制御を不必要に動作させることを防止でき運転部屋、停止部屋の快適性を損なうことがなくなるという効果を奏する。
【発明を実施するための最良の形態】
【００１４】
以下本発明の実施の形態について図面を参照して説明する。この実施の形態で説明する多室形空気調和機は、１台の室外機に複数台の室内機を並列に接続したもので、ここでは2台の室内機Ａ，Ｂを接続したケースについて説明する。この実施の形態１の多室形空気調和機の冷媒回路図と室内断面側面図は従来のものと同一である。
【００１５】
（実施の形態１）
図１は本発明の第１の実施形態を示すフローチャート図、図２は本発明の第１の実施形態のタイムチャート図である。
【００１６】
各室内機が室内熱交換器５ａ、５ｂと室内熱交換器に設けられた配管温度を検出する室内配管温度検出手段（配管温センサー６ａ、６ｂ）と、室内熱交換器５ａ、５ｂで熱交換された空気を風回路を通して室内へ送風する送風機１２と、冷房または除湿運転されて停止した時に冷房運転を記憶する冷房運転記憶手段（冷房除湿運転を経験した場合はＦtuyu=1、未経験の場合はFtuyu=0のフラグを立てる）を有する。室内機Aが冷房運転されると図１のＳ１に示すように室内機AはFtuyu＝１とし冷房運転を記憶する。
【００１７】
この後、Ｓ２に示すように室内機Ａが暖房運転されれば室内熱交換器５ａに滞留した凝縮水や冷房運転で冷却された風回路内は乾くのでFtuyu=0とし冷房運転の記憶を解除する。次に室内機Aが停止後暖房運転されずに、他室内機Bが暖房モードで運転され室内機Aが暖房モード以外（停止または異モード待機）の場合に図１のＳ３、図２のタイムチャート図に示すように室内配管センサー６ａで検知される配管温度が所定温度（ＨＴ１）以上の場合には停止中の室内機Aの送風機１２を回転させ、所定温度（ＨＴ２）以下に下がると送風機１２の回転を停止させるとともに、送風機１２が回転している時間をカウントする送風機運転時間カウント手段により送風機１２を回転させている時間を積算（図２に示すように積算時間Ｔ＝Ｔ１＋Ｔ２…のように送風機１２が回転している間のみ積算を行う）し、その積算時間が所定時間以上になると図１のＳ４に示すように制御を終了してFtuyu=0とし冷房運転の記憶を解除する。この構成によると、暖房運転中のＢ室が設定温度に達しサーモOFFして圧縮機１が停止した場合や設定温度に近づき圧縮機１の回転数が下がった場合に熱交換器温度が下がっている間は停止中の室内機Ａの送風機１２を停止し制御を中断し時間を積算させないため、停止中の室内機Ａの熱交換器５ａの温度を所定温度以上で所定時間以上確実に送風機１２の運転を行うことができ、熱交換器５ａに滞留した凝縮水や冷房運転で冷却された風回路内が所定時間内では乾ききらず風回路内表面１４への結露発生や凝縮水の再蒸発により結露水が滴下することや停止中の室内機Ａの送風機運転時間を長くしたり、風量を大きくして暖房運転中の部屋の暖房能力低下や停止部屋の室温上昇といった快適性の課題や停止部屋で騒音違和感を生じることを防ぐことができる。
【００１８】
（実施の形態２）
図３は本発明の第２の実施形態を示す室内断面側面図であり、本発明の制御方法を示すフローチャート図は図１と同じである。
【００１９】
停止中の室内機Ａの送風機１２が回転している時に、風回路吹出し部１３に設けられた上下風向羽根１５を閉じるかわずかに開として送風機１２を微風で運転するもので、この構成によれば、室内機９の吹出しと吸込みをショートサーキットさせ停止部屋への放熱を抑えることで停止部屋の室温上昇を防ぐとともに運転部屋の暖房能力ダウンを防ぐことができ快適性を損なわずに、熱交換器５ａに滞留した凝縮水や冷房運転で冷却された風回路内１４を確実に乾かすことができる。
【００２０】
（実施の形態３）
図４は本発明の第３の実施形態を示すフローチャート図であり、Ｓ２までは図１と同じである。冷房運転停止からの時間をカウントする冷房停止後時間カウント手段を有しており、図４のＳ５で示すように冷房運転停止後の時間が所定時間を超えた場合には熱交換器５ａに滞留した凝縮水や冷房運転で冷却された風回路内が乾いたと判断し、Ftuyu=0として冷房運転記憶を解除するというもので、この構成によれば、暖房のシーズン始めや冷房運転後でも長期運転停止した場合の熱交換器に滞留した凝縮水がなく冷房運転で冷却された風回路内が十分乾いている場合に本制御を不必要に動作させることを防止でき運転部屋、停止部屋の快適性を損なうことをなくすことができる。冷房運転停止後の時間が所定時間に達していない場合の制御は実施の形態１と同様である。
【００２１】
（実施の形態４）
図５は本発明の第３の実施形態を示すフローチャート図である。冷房運転開始から停止までの時間をカウントする冷房運転時間カウント手段を有しており、Ｓ８に示すように冷房運転時間がある所定時間に満たない場合には冷房運転記憶を行わないというもので、この構成によれば、リモコンでの運転モード切り替え時や運転モードの押し間違い等で短時間冷房運転された場合の熱交換器５ａに滞留した凝縮水がなく風回路内が十分乾いている場合に本制御を不必要に動作させることを防止でき運転部屋、停止部屋の快適性を損なうことをなくすことができる。
【００２２】
冷房運転時間が所定時間以上続いた場合の制御は実施の形態１と同様である。
【図面の簡単な説明】
【００２３】
【図１】本発明の第１の実施の形態のフローチャート
【図２】本発明の第１の実施の形態のタイムチャート
【図３】本発明の第２の実施の形態の室内断面側面図
【図４】本発明の第３の実施の形態のフローチャート
【図５】本発明の第４の実施の形態のフローチャート
【図６】従来の多室形空気調和機のフローチャート
【図７】従来の多室形空気調和機の冷媒回路図
【図８】従来の多室形空気調和機の室内断面側面図
【符号の説明】
【００２４】
１  圧縮機
２  四方弁
３  室外熱交換器
４  電子膨張弁
５  室内熱交換器
６  配管温センサー
７、８  分配部
９  室内機
１０  吸込みグリル
１１  フィルター
１２  室内送風機
１３  吹出し部
１４  風回路表面
１５  上下風向羽根
【要約】
【課題】  運転部屋、停止部屋の快適性を損なうことなく停止中の室内機からの結露水を防止する多室形空気調和機の制御方法を提供する。
【解決手段】  多室型空気調和機において、配管温度を検出する室内配管温度検出手段と、送風機と、冷房または除湿運転されて停止した時に冷房運転を記憶する冷房運転記憶手段を有し、他室が暖房モードで運転された場合に室内の運転モードが暖房以外で冷房運転を記憶している室内機において、室内配管温度が所定温度以上の場合には送風機を回転させ、所定温度以下では送風機の回転を停止させるとともに、前記送風機が回転している時間をカウントする送風機運転時間カウント手段を有し前記送風機を積算で所定時間運転させる。
【選択図】  図１
【図１】
0003620540.tif 000002
【図２】
0003620540.tif 000003
【図３】
0003620540.tif 000004
【図４】
0003620540.tif 000005
【図５】
0003620540.tif 000006
【図６】
0003620540.tif 000007
【図７】
0003620540.tif 000008
【図８】
0003620540.tif 000009